(57)【要約】【課題】撮像対象者の画像情報を解析して、携帯電話の通話中であるか否かを判定する通話判定装置等を提供する。【解決手段】カメラ１２０で撮像された撮像情報から操作者１０１の顔を検出する顔検出部３２０と、検出した顔の位置に基づいて、携帯電話の通話状態における手の撮像領域を特定する手領域特定部３３０と、特定された手の領域における画素値の変化量に基づいて、操作者１０１が携帯電話１４０の通話中であるか否かを判定する通話判定部３４０とを備える。【選択図】図３
2010218392.tif 000002
【特許請求の範囲】
【請求項１】
カメラで撮像された撮像情報から撮像対象者の顔を検出する顔検出手段と、
当該顔検出手段が検出した顔の位置に基づいて、携帯電話の通話状態における手の撮像領域を特定する手領域特定手段と、
当該手領域特定手段が特定した撮像領域における画素値の変化量に基づいて、撮像対象者が携帯電話の通話中であるか否かを判定する通話判定手段とを備える通話判定装置。
【請求項２】
請求項１に記載の通話判定装置において、
前記通話判定手段が、手領域特定手段にて特定された撮像領域における曲線成分の数、平行成分の数、線分の端点の数、及び／又は略円形成分の検出の有無に基づいて、前記撮像対象者が携帯電話の通話中であるか否かを判定する通話判定装置。
【請求項３】
請求項２に記載の通話判定装置において、
前記通話判定手段が略円形成分を検出した場合に、前記略円形成分の色相と前記略円形成分の中心部の色相との差異に基づいて、前記撮像対象者が携帯電話の通話中であるか否かを判定する通話判定装置。
【請求項４】
請求項１ないし３のいずれかに記載の通話判定装置において、
前記撮像対象者の通話中状態が所定のフレーム数以上連続した場合に、前記通話判定手段が、前記撮像対象者が携帯電話の通話中であると判定する通話判定装置。
【請求項５】
請求項１ないし４のいずれかに記載の通話判定装置において、
前記通話判定手段が、前記撮像対象者が携帯電話の通話中であると判定した場合に、その旨を報知する報知手段を備える通話判定装置。
【請求項６】
コンピュータが、
カメラで撮像された撮像情報から撮像対象者の顔を検出する顔検出ステップと、
当該顔検出ステップが検出した顔の位置に基づいて、携帯電話の通話状態における手の撮像領域を特定する手領域特定ステップと、
当該手領域特定ステップが特定した撮像領域における画素値の変化量に基づいて、撮像対象者が携帯電話の通話中であるか否かを判定する通話判定ステップとを実行する通話判定方法。
【請求項７】
カメラで撮像された撮像情報から撮像対象者の顔を検出する顔検出手段、
当該顔検出手段が検出した顔の位置に基づいて、携帯電話の通話状態における手の撮像領域を特定する手領域特定手段、
当該手領域特定手段が特定した撮像領域における画素値の変化量に基づいて、撮像対象者が携帯電話の通話中であるか否かを判定する通話判定手段としてコンピュータを機能させる通話判定プログラム。
【発明の詳細な説明】
【技術分野】
【０００１】
本発明は、携帯電話の通話中を判定する通話判定装置に関する。
【背景技術】
【０００２】
銀行のＡＴＭにおいて、携帯電話でＡＴＭの操作を誘導する振り込め詐欺が問題となっている。そこで、ＡＴＭ付近で妨害電波を流し、携帯電話の使用を禁止したり、ＡＴＭ付近での音声を検知し、犯人と会話する際に使用される複数のキーワードに基づいて警告を行う等の対策がなされている。
【０００３】
また、画像処理により人物の手の形状や操作の様子を解析する技術が開示されている（例えば、特許文献１又は２を参照）。
【先行技術文献】
【特許文献】
【０００４】
【特許文献１】特許第３８６３８０９号公報
【特許文献２】特表２００２−５０３８５６号公報
【発明の概要】
【発明が解決しようとする課題】
【０００５】
しかしながら、ＡＴＭ付近で妨害電波を流して携帯電話を使用できなくすると、その周囲の携帯電話が一律に使用できなくなり、ＡＴＭの操作者以外の人は不都合を感じてしまう。また、受信待ちもできなくなるため、緊急の連絡等を着信することができなくなってしまうという問題がある。また、ＡＴＭ付近での音声を検知し、犯人と会話する際に使用される複数のキーワードに基づいて警告すると、ＡＴＭ操作者の発声である否かが不明であることや、プライバシー侵害になる可能性があるという問題がある。従って、ＡＴＭの操作者に限定して携帯電話の使用中の判定を行う必要がある。
【０００６】
特許文献１に示す技術は、手の画像から肌色部を抽出するため、手袋をしている場合等には、手を認識することができないという課題を有する。また、入力画像に手が撮像されていることが前提であるため、ＡＴＭ操作のように操作者を撮像した画像から手を検出するような機能を備えていないという課題を有する。
【０００７】
特許文献２に示す技術は、予め決められたパターンと比較して認識を行うため、想定されるパターンを事前に登録しなければならないという課題を有する。また、手の様子それだけ、又は手に持つべき物体（例えば、電話の受話器）と一緒に認識するが、電話を掛けているか否かまでは判定することができず、電話の受話器を手に持つだけで電話を掛けていると認識されてしまう可能性がある。
【０００８】
なお、車の運転中における携帯電話の使用による事故も問題となっている。
そこで、本発明は上記課題を解決するためになされたものであり、撮像対象者の画像情報を解析して、携帯電話の通話中であるか否かを判定する通話判定装置等を提供することを目的とする。
【課題を解決するための手段】
【０００９】
本願に開示する通話判定装置は、カメラで撮像された撮像情報から撮像対象者の顔を検出する顔検出手段を備える。また、顔検出手段が検出した顔の位置に基づいて、携帯電話の通話状態における手の撮像領域を特定する手領域特定手段を備える。さらに、手領域特定手段が特定した撮像領域における画素値の変化量に基づいて、撮像対象者が携帯電話の通話中であるか否かを判定する通話判定手段を備える。
【発明の効果】
【００１０】
このように、本願に開示する通話判定装置においては、顔の位置に基づいて携帯電話の通話中における手の撮像領域を特定し、当該手の撮像領域の変化量に基づいて通話中を判定するため、通話中であることを正確に認識することができるという効果を奏する。
【図面の簡単な説明】
【００１１】
【図１】第１の実施形態に係る通話判定装置を用いた通話中検知システムのシステム構成図である。
【図２】第１の実施形態に係る通話判定装置のハードウェア構成図である。
【図３】第１の実施形態に係る通話判定装置の機能ブロック図である。
【図４】第１の実施形態に係る通話判定装置の動作を示すフローチャートである。
【図５】第１の実施形態に係る通話判定装置の顔検出処理を示すフローチャートである。
【図６】第１の実施形態に係る通話判定装置の手の領域を特定する処理を示すフローチャートである。
【図７】第１の実施形態に係る通話判定装置において特定した手の領域を示す図である。
【図８】第１の実施形態に係る通話判定装置の携帯電話の通話中を判定する処理を示すフローチャートである。
【図９】第１の実施形態に係る通話判定装置において曲線成分、線分の端点、平行成分、及び「Ｃ」形状を抽出した場合を示す図である。
【図１０】第１の実施形態に係る通話判定装置においてＣ形状の色調とＣ形状の中心の色調との差異を抽出した場合を示す図である。
【発明を実施するための形態】
【００１２】
以下、本発明の実施の形態を説明する。本発明は多くの異なる形態で実施可能である。従って、本実施形態の記載内容のみで本発明を解釈すべきではない。また、本実施形態の全体を通して同じ要素には同じ符号を付けている。
【００１３】
以下の実施の形態では、主に装置について説明するが、所謂当業者であれば明らかな通り、本発明は方法、及び、コンピュータを動作させるためのプログラムとしても実施できる。また、本発明はハードウェア、ソフトウェア、または、ハードウェア及びソフトウェアの実施形態で実施可能である。プログラムは、ハードディスク、ＣＤ−ＲＯＭ、ＤＶＤ−ＲＯＭ、光記憶装置、または、磁気記憶装置等の任意のコンピュータ可読媒体に記録できる。さらに、プログラムはネットワークを介した他のコンピュータに記録することができる。
【００１４】
（本発明の第１の実施形態）
本実施形態に係る通話判定装置について図１ないし図１０を用いて説明する。
（１．構成）
図１は、本実施形態に係る通話判定装置を用いた通話中検知システムのシステム構成図である。通話中検知システム１００は、通話判定装置１１０とカメラ１２０とＡＴＭ１３０とを備える。カメラ１２０は、操作者１０１がＡＴＭ１３０を操作している様子を撮像する。撮像された撮像情報は、通話判定装置１１０に送信され画像解析される。画像解析の結果、操作者１０１が携帯電話１４０で通話中である場合は、ＡＴＭ１３０や、図示しないが管理者１０２が使用する端末等にその旨が報知される。操作者１０１は、報知された情報に基づいて携帯電話１４０で継続して通話するか、即座に携帯電話１４０を切る。また、管理者１０２が操作者１０１に直接通話の中断を求めてもよい。
【００１５】
図２は、本実施形態に係る通話判定装置のハードウェア構成図である。通話判定装置は、ＣＰＵ２１０、ＲＡＭ２２０、ＲＯＭ２３０、ハードディスク（ＨＤとする）２４０、通信Ｉ／Ｆ２５０、及び入出力Ｉ／Ｆ２６０を備える。ＲＯＭ２３０やＨＤ２４０には、オペレーティングシステム（ＯＳとする）や各種プログラム等が格納されており、必要に応じてＲＡＭ２２０に読み出され、ＣＰＵ２１０により各プログラムが実行される。通信Ｉ／Ｆ２５０は、他の装置（ここでは、カメラ１２０やＡＴＭ１３０）と通信を行うためのインタフェースである。入出力Ｉ／Ｆ２６０は、キーボードやマウス等からの入力を受け付けたり、プリンタやディスプレイ、スピーカ等にデータを出力するためのインタフェースである。この入出力Ｉ／Ｆ２６０としてＵＳＢやＲＳ２３２Ｃ等が用いられる。また、必要に応じて、光磁気ディスク、フロッピーディスク（登録商標）、ＣＤ−Ｒ、ＤＶＤ−Ｒ等のリムーバブルディスクに対応したドライブを接続することができる。
【００１６】
図３は、本実施形態に係る通話判定装置の機能ブロック図である。通話判定装置１１０は、撮像情報入力部３１０と顔検出部３２０と手領域特定部３３０と通話判定部３４０と通話中報知部３５０と撮像情報部３６０と判定条件情報部３７０とを備える。
【００１７】
撮像情報入力部３１０は、カメラ１２０が撮像した撮像情報３０１を入力し、撮像情報部３６０に格納する処理を行う。顔検出部３２０は、撮像情報部３６０に格納された撮像情報に基づいて操作者１０１の顔領域、及び／又は顔部位を検出する。
【００１８】
検出された顔領域、及び／又は顔部位に基づいて、手領域特定部３３０が、操作者１０１が携帯電話１４０で通話している状態における手の領域を特定する。操作者１０１が携帯電話１４０で通話している場合、携帯電話１４０を手に持ち、受話口に耳をあて、送話口は下方(口の近く)に向けあてがう状態となる。つまり、操作者１０１の耳付近から口元にかけての領域が手の領域として特定される。
【００１９】
通話判定部３４０は、判定条件情報部３７０にて設定されている判定条件に基づいて、特定された手の領域を画像解析して、操作者１０１が携帯電話１４０で通話中であるか否かを判定する。携帯電話１４０で通話している特徴として、手の領域において以下の特徴が考えられる。（１）所定の大きさ以上の領域で背景との変化が生じる。（２）携帯電話１４０を掴むための手の形状により多くの曲線成分、線分の端点、平行成分が存在する。（３）携帯電話を掴むことによる略円形状の「Ｃ」型成分が存在する。（４）「Ｃ」型の中心部に携帯電話１４０の色相が存在する。通話判定部３４０は、上記（１）ないし（４）の特徴を総合的に判断して、携帯電話１４０の通話中を判定する。
【００２０】
通話中報知部３５０は、通話判定部３４０にて操作者１０１が携帯電話１４０を用いて通話中であると判定した場合に、その旨、又は警告を報知する。報知は、ＡＴＭ１２０の表示パネル３０２、及び／又はスピーカ３０３を通してなされる。
【００２１】
なお、操作者１０１が、例えばお年寄り等で報知の意図が把握できないような場合には、管理者１０２が操作者１０１に直接説明して、振り込め詐欺等を事前に防止するようにしてもよい。
また、振り込め詐欺の確率が高い場合には、ＡＴＭ１２０の振込み機能を停止させてもよい。
【００２２】
（２．動作）
図４は、本実施形態に係る通話判定装置の動作を示すフローチャートである。まず、ＡＴＭ１２０に設置されたカメラ１２０で操作者１０１を撮像する（ステップＳ４０１）。撮像された撮像情報３０１を撮像情報入力部３１０が入力する（ステップＳ４０２）。入力された撮像情報に基づいて、顔検出部３２０が操作者１０１の顔領域、及び／又は顔部位を検出する（ステップＳ４０３）。
【００２３】
ここで、顔領域、及び／又は顔部位の検出について説明する。図５は、本実施形態に係る通話判定装置の顔検出処理を示すフローチャートである。まず、顔領域を検出する（ステップＳ５０１）。この顔領域を検出する処理は、既に開示されている技術（例えば、特許第４２０４３３６号公報、ＷＯ２００６／０８７７９１号公報、ＷＯ２００６／０８７７８９号公報を参照）を用いて行うことができ、ここでは詳細な説明を省略する。
【００２４】
顔領域が検出されると、鼻の位置を検出する（ステップＳ５０２）。この鼻の位置を検出する処理は、既に開示されている技術（例えば、特許第４２０４３３６号公報、ＷＯ２００６／０９０４４９号公報を参照）を用いて行うことができ、ここでは詳細な説明を省略する。
【００２５】
次に、右眼、及び左眼を検出する（ステップＳ５０３）。この眼を検出する処理は、既に開示されている技術（例えば、特開２００４−２３４４９４号公報を参照）を用いて行うことができ、ここでは詳細な説明を省略する。
【００２６】
そして、検出した顔領域、鼻、眼の位置関係に基づいて顔向き（角度）を算出する（ステップＳ５０４）。顔向きの算出では、左右の向き角度（Ｙａｗ角）、上下の向き角度（Ｐｉｔｃｈ角）、傾き角度（Ｒｏｌｌ角）が算出される。この顔向きを算出する処理は、既に開示されている技術（例えば、特許第４２０４３３６号公報）を用いて行うことができ、ここでは詳細な説明を省略する。
【００２７】
図４に戻って、ステップＳ４０３で顔領域、及び／又は顔部位を検出すると、操作者１０１が携帯電話１４０で通話中の状態における手の領域を手領域特定部３３０が特定する（ステップＳ４０４）。
【００２８】
ここで、手の領域の特定について説明する。図６は、本実施形態に係る通話判定装置の手の領域を特定する処理を示すフローチャートである。まず、顔部位（眼、鼻等）が検出されたかどうかを判定する（ステップＳ６０１）。顔部位が検出されている場合は、顔部位、及び顔向き角度を用いて左手側の手の領域を特定し（ステップＳ６０２）、さらに右手側の手の領域を特定する（ステップＳ６０３）。顔部位が検出されていない場合は、顔領域を用いて左手側の手の領域を特定し（ステップＳ６０４）、さらに右手側の手の領域を特定して（ステップＳ６０５）、手の領域を特定する処理を終了する。
【００２９】
図７は、本実施形態に係る通話判定装置において特定した手の領域を示す図である。図７（ａ）は、顔部位が検出されなかった場合の図であり、図７（ｂ）は、顔部位が検出された場合の図である。図７（ａ）において、顔部位が検出されていないため、顔向き角度を算出することができない。従って、操作者１０１が正面を向いていると仮定して、顔領域の左右の所定領域（破線で示す領域）を手の領域として特定する。
【００３０】
図７（ｂ）において、顔部位が検出されているため、顔向き角度を算出することができる。従って、顔向き角度に応じて、耳あたりから口元あたりにかけての所定領域（破線で示す領域）を手の領域として特定する。
【００３１】
なお、特定する手の領域の大きさは、カメラ１２０の解像度に応じて予め設定した大きさの画素数であってもよいし、顔領域の大きさに基づいて決定されてもよい。例えば、顔領域が大きい場合は、特定する手の領域の大きさも大きく、顔領域が小さい場合は、特定する手の領域の大きさは小さくしてもよい。
【００３２】
図４に戻って、ステップＳ４０４で手の領域が特定されると、通話判定部３４０が、操作者１０１が携帯電話を使用中であるか否かを判定する（ステップＳ４０５）。
ここで、携帯電話の使用中の判定について説明する。図８は、本実施形態に係る通話判定装置の携帯電話の通話中を判定する処理を示すフローチャートである。まず、ステップＳ４０４で特定された手の領域における画素値の変化量を抽出する（ステップＳ８０１）。画素値の変化量が所定の規定値を満たさない場合は、携帯電話の使用中を示す使用中フラグをＯＦＦにして（ステップＳ８０９）、判定処理を終了する。
【００３３】
画素値の変化量が所定の規定値を満たす場合は、変化領域における曲線成分、及び線分の端点を抽出する（ステップＳ８０３）。又は、変化領域における平行成分、及び略円形の「Ｃ」形状を抽出し（ステップＳ８０４）、「Ｃ」形状が抽出された場合は、「Ｃ」形状の色調と「Ｃ」形状の中心の色調との差異を抽出する（ステップＳ８０５）。
【００３４】
なお、ステップＳ８０３で抽出した曲線成分、及び／又は線分の端点の度合いを示す値を度合Ａとし、ステップＳ８０５で抽出した平行成分、及び／又は「Ｃ」形状の色調と「Ｃ」形状の中心の色調との差異の度合いを示す値を度合Ｂとする。
【００３５】
このステップＳ８０３からステップＳ８０５の処理について詳細に説明する。図９は、本実施形態に係る通話判定装置において曲線成分、線分の端点、平行成分、及び「Ｃ」形状を抽出した場合を示す図である。操作者１０１が携帯電話１４０を使って通話を行う場合に、手の撮像情報からいくつかの特徴が抽出される。
【００３６】
図９（ａ）及び（ｂ）は、携帯電話１４０の通話中における手の形状から、曲線成分、及び線分の端点を抽出した場合を示す。図９（ａ）及び（ｂ）の破線が抽出した曲線成分を示しており、点線が抽出した線分の端点を示している。図からわかるように、携帯電話１４０を通話中の手の形状には、曲線成分や線分の端点が多く抽出される。これら曲線成分や線分の端点の抽出情報に基づいて、操作者１０１が携帯電話１４０の通話中であるか否かを判定する。
【００３７】
図９（ｃ）は、携帯電話１４０の通話中における手の形状から、平行成分を抽出した場合を示す。図９（ｃ）の一点鎖線が抽出した平行成分を示している。図からわかるように、携帯電話１４０を通話中の手の形状には、角度によって多くの平行成分が抽出される。
【００３８】
図９（ｄ）は、携帯電話１４０の通話中における手の形状から、「Ｃ」形状を抽出した場合を示す。図からわかるように、携帯電話１４０を通話中の手の形状には、角度によって携帯電話１４０を掴んだときの「Ｃ」形状が同系色のかたまりで抽出される。
【００３９】
図１０は、本実施形態に係る通話判定装置においてＣ形状の色調とＣ形状の中心の色調との差異を抽出した場合を示す図である。図からわかるように、携帯電話１４０を掴んでいる場合には、「Ｃ」形状の中心部に携帯電話１４０自体の色調が抽出される場合が多い。これら平行成分や「Ｃ」形状や「Ｃ」形状の中心部との色調の差異等の抽出情報に基づいて、操作者１０１が携帯電話１４０の通話中であるか否かを判定する。
【００４０】
図８に戻って、手の特徴を示す各要素が抽出されると、その各要素が連続して抽出されたフレーム数を抽出する（ステップＳ８０６）。なお、フレーム数の連続性の度合いを示す値を度合Ｃとする。抽出された手の特徴を示す各要素、及びフレーム数の度合いに基づいて、判定条件情報部３７０の判定条件から通話中の判定を行う（ステップＳ８０７）。判定条件情報の一例を下記の表１に示す。
【００４１】
【表１】
2010218392.tif 000003
表１に示すように、上記抽出された手の特徴の度合いから、携帯電話１４０の使用中を判定する。例えば、度合Ａ（曲線成分、及び／又は線分の端点の度合い）、度合Ｂ（平行成分、及び／又は「Ｃ」形状の中心部の色調の差異）、及び度合Ｃ（フレームの連続性の度合い）の全てが規定値を満たす場合は、携帯電話１４０を使用中であると判定する。また、度合Ａと度合Ｃ、又は度合Ｂと度合Ｃを満たした場合も携帯電話１４０を使用中であると判定する。逆に、度合Ａと度合Ｂを満たした場合や、度合Ａ、又は度合Ｂのみを満たした場合や、すべて満たさなかった場合には、携帯電話１４０を未使用であると判定する。
なお、この判定基準はあくまで一例であり、管理者１０２が任意に設定できるものとする。
【００４２】
ステップＳ８０７の判定の結果、携帯電話１４０を未使用であると判定された場合は、使用中フラグをＯＦＦにして（ステップＳ８０９）、判定処理を終了する。携帯電話１４０を使用中であると判定された場合は、使用中フラグをＯＮにして（ステップＳ８０８）、判定処理を終了する。
【００４３】
なお、ここでは、ステップＳ８０３の判定、並びにステップＳ８０４、及びステップＳ８０５の処理を分けて行っているが、連続的に行ってもよい。
【００４４】
図４に戻って、ステップＳ４０５で携帯電話の使用中が判定された結果、ステップＳ４０６で使用中フラグがＯＦＦの場合は、ステップＳ４０１に戻って、再び操作者１０１の撮像を行う。ステップＳ４０６で使用中フラグがＯＮの場合は、通話中報知部３５０が携帯電話１４０の通話中である旨を報知する（ステップＳ４０７）。報知は、表示パネル３０２やスピーカ３０３を通して行われる。また、管理者１０２が使用する端末等を通して行われる。管理者１０２は、携帯電話１４０の通話中である旨を報知されると、通話行為の良し悪しを判断し（ステップＳ４０８）、良い場合はステップＳ４０１に戻って、再び操作者１０１の撮像を行う。良くない場合は、対応処理を行って（ステップＳ４０９）、処理を終了する。
【００４５】
なお、対応処理とは、例えば管理者１０２が直接操作者１０１に対して注意を促してもよいし、ＡＴＭ１３０の振込み機能を停止させてもよい。また、通話行為の良し悪しの判断は、通話中の音声を解析し、所定のキーワードが含まれている場合（例えば、「今、通帳を入れました」等の誘導がなされていると判断されるキーワードが含まれる場合）に良くない通話であると判断してもよい。
【００４６】
さらに、本実施形態においては、ＡＴＭにおける携帯電話の通話中の判定について説明したが、車の運転中における携帯電話の通話中の判定についても、本実施形態に係る通話判定装置を適用することができる。
【００４７】
このように、本実施形態に係る通話判定装置によれば、顔の位置に基づいて携帯電話の通話中における手の撮像領域を特定するため、通話中であることを正確に認識することができる。また、手の肌色ではなく、手の撮像領域の変化量に基づいて通話中を判定するため、例えば、手袋を掛けているような場合であっても通話中であるか否かを判定することができる。
【００４８】
さらに、曲線成分の数、平行成分の数、線分の端点の数、及び／又は略円形成分の検出の有無により、確実に携帯電話の通話中における手の特徴に基づく判定をすることができる。
【００４９】
さらにまた、略円形成分の色相と当該略円形成分の中心部の色相との差異に基づいて、通話中を判定するため、手で携帯電話を掴んでいる状態を検出することで、通話中を確実に判定することができる。
【００５０】
さらにまた、通話中状態が所定のフレーム数以上連続した場合に通話中であると判定するため、一瞬の手の動きと通話中との違いを認識し、通話中の状態を正確に判定することができる。
【００５１】
さらにまた、撮像対象者が携帯電話の通話中であると判定した場合に、その旨を報知するため、ＡＴＭ等における振り込め詐欺の被害や車の運転中における携帯電話の使用による事故を未然に防止することができる。
【００５２】
以上の前記実施形態により本発明を説明したが、本発明の技術的範囲は実施形態に記載の範囲には限定されず、この実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
前記実施形態に関して次の付記を示す。
【００５３】
（付記１）カメラで撮像された撮像情報から撮像対象者の顔を検出する顔検出手段と、当該顔検出手段が検出した顔の位置に基づいて、携帯電話の通話状態における手の撮像領域を特定する手領域特定手段と、当該手領域特定手段が特定した撮像領域における画素値の変化量に基づいて、撮像対象者が携帯電話の通話中であるか否かを判定する通話判定手段とを備える通話判定装置。
【００５４】
（付記２）付記１に記載の通話判定装置において、前記通話判定手段が、手領域特定手段にて特定された撮像領域における曲線成分の数、平行成分の数、線分の端点の数、及び／又は略円形成分の検出の有無に基づいて、前記撮像対象者が携帯電話の通話中であるか否かを判定する通話判定装置。
【００５５】
（付記３）付記２に記載の通話判定装置において、前記通話判定手段が略円形成分を検出した場合に、前記略円形成分の色相と前記略円形成分の中心部の色相との差異に基づいて、前記撮像対象者が携帯電話の通話中であるか否かを判定する通話判定装置。
【００５６】
（付記４）付記１ないし３のいずれかに記載の通話判定装置において、前記撮像対象者の通話中状態が所定のフレーム数以上連続した場合に、前記通話判定手段が、前記撮像対象者が携帯電話の通話中であると判定する通話判定装置。
【００５７】
（付記５）付記１ないし４のいずれかに記載の通話判定装置において、前記通話判定手段が、前記撮像対象者が携帯電話の通話中であると判定した場合に、その旨を報知する報知手段を備える通話判定装置。
【００５８】
（付記６）コンピュータが、カメラで撮像された撮像情報から撮像対象者の顔を検出する顔検出ステップと、当該顔検出ステップが検出した顔の位置に基づいて、携帯電話の通話状態における手の撮像領域を特定する手領域特定ステップと、当該手領域特定ステップが特定した撮像領域における画素値の変化量に基づいて、撮像対象者が携帯電話の通話中であるか否かを判定する通話判定ステップとを実行する通話判定方法。
【００５９】
（付記７）付記６に記載の通話判定方法において、前記通話判定ステップが、手領域特定ステップにて特定された撮像領域における曲線成分の数、平行成分の数、線分の端点の数、及び／又は略円形成分の検出の有無に基づいて、前記撮像対象者が携帯電話の通話中であるか否かを判定する通話判定方法。
【００６０】
（付記８）付記７に記載の通話判定方法において、前記通話判定ステップが略円形成分を検出した場合に、前記略円形成分の色相と前記略円形成分の中心部の色相との差異に基づいて、前記撮像対象者が携帯電話の通話中であるか否かを判定する通話判定方法。
【００６１】
（付記９）付記６ないし８のいずれかに記載の通話判定方法において、前記撮像対象者の通話中状態が所定のフレーム数以上連続した場合に、前記通話判定ステップが、前記撮像対象者が携帯電話の通話中であると判定する通話判定方法。
【００６２】
（付記１０）付記６ないし９のいずれかに記載の通話判定方法において、前記通話判定方法が、前記撮像対象者が携帯電話の通話中であると判定した場合に、その旨を報知する報知ステップを含む通話判定方法。
【００６３】
（付記１１）カメラで撮像された撮像情報から撮像対象者の顔を検出する顔検出手段、当該顔検出手段が検出した顔の位置に基づいて、携帯電話の通話状態における手の撮像領域を特定する手領域特定手段、当該手領域特定手段が特定した撮像領域における画素値の変化量に基づいて、撮像対象者が携帯電話の通話中であるか否かを判定する通話判定手段としてコンピュータを機能させる通話判定プログラム。
【００６４】
（付記１２）付記１１に記載の通話判定プログラムにおいて、前記通話判定手段が、手領域特定手段にて特定された撮像領域における曲線成分の数、平行成分の数、線分の端点の数、及び／又は略円形成分の検出の有無に基づいて、前記撮像対象者が携帯電話の通話中であるか否かを判定する通話判定プログラム。
【００６５】
（付記１３）付記１２に記載の通話判定プログラムにおいて、前記通話判定手段が略円形成分を検出した場合に、前記略円形成分の色相と前記略円形成分の中心部の色相との差異に基づいて、前記撮像対象者が携帯電話の通話中であるか否かを判定する通話判定プログラム。
【００６６】
（付記１４）付記１１ないし１３のいずれかに記載の通話判定プログラムにおいて、前記撮像対象者の通話中状態が所定のフレーム数以上連続した場合に、前記通話判定手段が、前記撮像対象者が携帯電話の通話中であると判定する通話判定プログラム。
【００６７】
（付記１５）付記１１ないし１４のいずれかに記載の通話判定プログラムにおいて、前記通話判定手段が、前記撮像対象者が携帯電話の通話中であると判定した場合に、その旨を報知する報知手段としてコンピュータを機能させる通話判定プログラム。
【符号の説明】
【００６８】
１００  通話中検知システム
１０１  操作者
１０２  管理者
１１０  通話判定装置
１２０  カメラ
１３０  ＡＴＭ
１４０  携帯電話
２１０  ＣＰＵ
２２０  ＲＡＭ
２３０  ＲＯＭ
２４０  ＨＤ
２５０  通信Ｉ／Ｆ
２６０  入出力Ｉ／Ｆ
３０１  撮像情報
３０２  表示パネル
３０３  スピーカ
３１０  撮像情報入力部
３２０  顔検出部
３３０  手領域特定部
３４０  通話判定部
３５０  通話中報知部
３６０  撮像情報部
３７０  判定条件情報部
【図１】
2010218392.tif 000004
【図２】
2010218392.tif 000005
【図３】
2010218392.tif 000006
【図４】
2010218392.tif 000007
【図５】
2010218392.tif 000008
【図６】
2010218392.tif 000009
【図７】
2010218392.tif 000010
【図８】
2010218392.tif 000011
【図９】
2010218392.tif 000012
【図１０】
2010218392.tif 000013